(57)【要約】【課題】消音ピアノを傷つけることなく、また、外観を損なうことなく、更に、メンテナンス作業に支障を生じさせることなく消音ピアノにスピーカを取り付けることが可能な消音ピアノ用スピーカ取付部材およびスピーカ付き消音ピアノを提供すること。【解決手段】スピーカ２を表面がスピーカ固定機構１１の水平板部材の下面および垂直板部材の水平板部材側表面に密着するようにスピーカ２を消音ピアノ用スピーカ取付部材１に固定した状態で、部材固定機構１３の棒状部材を捩り回して、スピーカ２の部材固定機構１３側の表面と、部材固定機構１３のスピーカ２側の円板とで前板３１を強固に挟み込んで固定する。このようにして、消音ピアノ用スピーカ取付部材１により、消音ピアノ３にネジ穴等の傷をつけることなく、スピーカ２を消音ピアノ３に取り付けることが可能になる。【選択図】  図１
2006208667.tif 000002
【特許請求の範囲】
【請求項１】
鍵盤の押鍵に従った打弦を抑止する打弦抑止機構と、前記打弦抑止機構による打弦抑止の際に、鍵盤の操作に応じて電子音源を制御する制御手段とを有する消音ピアノに、スピーカを取り付けるための消音ピアノ用スピーカ取付部材であって、
前記スピーカを固定するためのスピーカ固定機構と、前記スピーカ固定機構に固定されたスピーカの側面と前記消音ピアノの構造材を挟み込んで固定するための部材固定機構と、を備えたことを特徴とする消音ピアノ用スピーカ取付部材。
【請求項２】
請求項１に記載の消音ピアノ用スピーカ取付部材において、
前記スピーカ固定機構に固定されたスピーカの側面と、前記部材固定機構の前記消音ピアノの構造材との接触面とにフェルト部材を設けたことを特徴とする消音ピアノ用スピーカ取付部材。
【請求項３】
請求項１に記載の消音ピアノ用スピーカ取付部材を用いて、前記スピーカ固定機構に固定されたスピーカの側面と前記消音ピアノの前面を覆う前板を前記部材固定機構で挟み込んで固定し、スピーカを取り付けたことを特徴とするスピーカ付き消音ピアノ。
【発明の詳細な説明】
【技術分野】
【０００１】
本発明は、鍵盤の押鍵に従った打弦を抑止する打弦抑止機構と、前記打弦抑止機構による打弦抑止の際に、鍵盤の操作に応じて電子音源を制御する制御手段とを有する消音ピアノに、スピーカを取り付けるための消音ピアノ用スピーカ取付部材およびスピーカ付き消音ピアノに関する。
【背景技術】
【０００２】
従来から、夜間等に演奏を行う際の周辺への騒音問題を防ぐために鍵盤を押鍵しても打弦が抑止され、通常の打弦でのアコースティック音を発生させずに押鍵に応じた電子音を発生させる消音ピアノにおいて、この消音ピアノにスピーカを取り付けて電子音をスピーカから出力させるようにしたものが提案されている。例えば、鍵盤の操作に応じて制御される電子音源により電子音を出力する２つのスピーカを消音ピアノの後側の左右両端の支柱の側部に固定し、それらのスピーカの正面部分が消音ピアノの後側を向くようにしたものが提案されていた（例えば、特許文献１参照。）。
【０００３】
【特許文献１】実開平７−２３３９６号公報（第６−１１頁、第３図）
【発明の開示】
【発明が解決しようとする課題】
【０００４】
確かに、このような消音ピアノにあっては、アコースティック音を発生させずにスピーカから出力される電子音の音量を調節して、周辺への騒音の発生を防ぎながら夜間等に演奏を行うことが可能である。しかしながら、このような消音ピアノにおいては、消音ピアノの後側の左右両端の支柱の側部にスピーカを固定して取り付けているため、このスピーカを固定するためにネジ止め等をしなければならず、ネジ穴を開けることになり消音ピアノに傷つけることになる。また、ネジ止めをせずに接着剤等により固定したとしてもスピーカが消音ピアノの外部に露出する位置に取り付けられることになるので、例え後ろ側であるとしても、消音ピアノの外観が若干損なわれることになる。このような、消音ピアノが傷つけられることや外観が損なわれることはユーザーには抵抗があるという問題があった。また、スピーカの取付位置によっては、消音ピアノのメンテナンス等を行う際に、スピーカが邪魔となって消音ピアノの内部された部品や機器等に作業を行いにくい、更に、消音ピアノの内部を覆う前板等を開閉しにくい等の問題があった。
【０００５】
本発明は、かかる従来の課題を解決するためになされたもので、消音ピアノを傷つけることなく、また、外観を損なうことなく、更に、メンテナンス作業に支障を生じさせることなく消音ピアノにスピーカを取り付けることが可能な消音ピアノ用スピーカ取付部材およびスピーカ付き消音ピアノを提供することを目的とする。
【課題を解決するための手段】
【０００６】
上記目的を達成するために、本発明は、鍵盤の押鍵に従った打弦を抑止する打弦抑止機構と、前記打弦抑止機構による打弦抑止の際に、鍵盤の操作に応じて電子音源を制御する制御手段とを有する消音ピアノに、スピーカを取り付けるための消音ピアノ用スピーカ取付部材であって、
前記スピーカを固定するためのスピーカ固定機構と、前記スピーカ固定機構に固定されたスピーカの側面と前記消音ピアノの構造材を挟み込んで固定するための部材固定機構と、を備えたことを特徴とする消音ピアノ用スピーカ取付部材である。
【０００７】
この発明においては、スピーカを固定するためのスピーカ固定機構と、スピーカ固定機構に固定されたスピーカの側面と消音ピアノの構造材を挟み込んで固定するための部材固定機構とを備えている。このため、スピーカを使用するときには消音ピアノの構造材を挟み込んで固定しているので消音ピアノを傷つけることがない。また、スピーカを使用しないときには、消音ピアノの構造材を挟み込んでいる部材固定機構の固定を解除すればスピーカを取り外せるので、スピーカを使用しないときに消音ピアノの外観を損なうことがない。
【０００８】
また、請求項１に記載の消音ピアノ用スピーカ取付部材において、前記スピーカ固定機構に固定されたスピーカの側面と、前記部材固定機構の前記消音ピアノの構造材との接触面とにフェルト部材を設けても良い。更に、請求項１に記載の消音ピアノ用スピーカ取付部材を用いて、前記スピーカ固定機構に固定されたスピーカの側面と前記消音ピアノの前面を覆う前板を前記部材固定機構で挟み込んで固定し、スピーカを取り付けても良い。
【発明の効果】
【０００９】
本発明によれば、消音ピアノを傷つけることなく、また、外観を損なうことなく、更に、メンテナンス作業に支障を生じさせることなく消音ピアノにスピーカを取り付けることが可能になるという効果が得られる。
【発明を実施するための最良の形態】
【００１０】
以下、本発明を実施するための最良の形態を図面を参照しつつ説明する。
【００１１】
（構成）
図１（ａ）、（ｂ）、（ｃ）は本実施を実施するための最良の形態の消音ピアノ用スピーカ取付部材１の構成を示す説明図である。本実施の形態の消音ピアノ用スピーカ取付部材１は、消音ピアノ用スピーカ取付部材１にスピーカ２を固定するためのスピーカ固定機構１１と、このスピーカ固定機構１１に固定されたスピーカ２の側面と後述する消音ピアノ３の構造材を挟み込んで固定するための部材固定機構１３と、部材固定機構１３を保持するための保持部材１４とから構成されている。
【００１２】
スピーカ固定機構１１は、図１（ａ）、（ｂ）、（ｃ）に示すように、水平に配置された水平板部材とこの水平板部材の端部に密接して垂直に配置された垂直板部材とから成り、垂直板部材の所定の２箇所にはネジを通すための貫通孔１２が開けられている。スピーカ固定機構１１には、水平板部材の下面と垂直板部材の水平板部材側表面とにスピーカ２の表面を密着させ貫通孔１２を通してスピーカ２をネジ止めすることにより、スピーカ２が固定されるようになっている。
【００１３】
保持部材１４は、スピーカ固定機構１１の水平板部材の垂直板部材が密接している端部とは異なる端部から連続する連続部１５を介して所定距離を隔てて水平板部材、垂直板部材と垂直な向きに配置された板部材であって、その所定の２箇所には雌ネジ加工された貫通孔が開けられている。そして、部材固定機構１３は、表面が雄ネジ加工された棒状部材と、この棒状部材の両端に取り付けられた円板部材とから成り、２つの部材固定機構１３は、棒状部材が当該雌ネジ加工された貫通孔に螺合して通された状態で保持部材１４に保持されている。なお、連続部１５は、その厚さが２〜４ミリ程度以内となっている。
【００１４】
図２は、消音ピアノ用スピーカ取付部材１を用いてスピーカ２を取り付けた消音ピアノ３を示す構成図である。図２に示すように、消音ピアノ３は、外部表面が前板３１、天板３２、側板３３等の構造材から覆われており、その前面が前板３１、上部が天板３２、側部が側板３３に覆われている。また、消音ピアノ３は、図９に示すように、制御部９０１、押鍵検出部９０２、音源部９０３、アンプ９０４、打弦抑止機構９０５、打弦機構９０６を備えており、鍵盤の押鍵に従った消音ピアノ３内部の図示しない弦を打弦する打弦機構９０６による打弦を抑止する打弦抑止機構９０５が作動し、スピーカ２が消音ピアノ用スピーカ取付部材１により消音ピアノ３に取り付けらている際には、押鍵検出部９０２により鍵盤の押鍵が検出され、音源部９０３が制御部９０１に制御されて鍵盤の押鍵に応じた電子音を生成し、この電子音がアンプ９０４を介して、図示しない出力端子にケーブルで接続されたスピーカ２から出力されるようになっている。
【００１５】
（作用）
続いて、上述の消音ピアノ用スピーカ取付部材１の作用について説明する。まず、使用者がスピーカ２を、その表面が消音ピアノ用スピーカ取付部材１のスピーカ固定機構１１の水平板部材の下面および垂直板部材の水平板部材側表面に密着するように持った状態でネジの先端を貫通孔１２を通してスピーカ２の表面に当て、ネジを捩り回してスピーカ２の表面に捩り込ませてスピーカ２を消音ピアノ用スピーカ取付部材１に固定する。
【００１６】
そして、図３に示すように、使用者は、消音ピアノ３の前板３１の上部を手前に引き寄せて前板３１を開き、スピーカ固定機構１１と保持部材１４との中間の連続部１５を前板３１の上部に当接させて、スピーカ固定機構１１に固定されたスピーカ２の部材固定機構１３側の表面と、部材固定機構１３のスピーカ２側の円板とで前板３１を挟み込むように持つ。次に、使用者は、この状態で部材固定機構１３の棒状部材を捩り回してスピーカ２側の円板を前板３１の内側表面に近接させて当接させ、更に、捩り回して前板３１をスピーカ２の表面とスピーカ２側の円板と強固に挟み込んで消音ピアノ用スピーカ取付部材１を前板３１に固定する。このようにして、消音ピアノ用スピーカ取付部材１により、消音ピアノ３にネジ穴等の傷をつけることなく、スピーカ２を消音ピアノ３に取り付けることが可能になる。
【００１７】
このとき、前板３１は、メンテナンス等のときに上部を引き寄せて前板３１が開閉可能となるように消音ピアノ３本体との間に２〜４ミリ程度の間隙があるため、スピーカ固定機構１１と保持部材１４との中間の連続部分が前板３１の上部に当接していても消音ピアノ３本体に衝突することがなく、そのまま前板３１を閉じて消音ピアノ３にスピーカ２を取り付けることが可能である。また、スピーカ２を取り付けた状態でそのまま前板３１を開閉することができるので、スピーカ２が邪魔となることがなく、メンテナンス作業に支障を生じさせることがない。
【００１８】
スピーカ２を使用しない際には、部材固定機構１３の棒状部材を逆方向に捩り回して、スピーカ２の表面とスピーカ２側の円板とで前板３１を挟み込んでいる状態を解除して、消音ピアノ用スピーカ取付部材１を取り外すことが可能であるので、消音ピアノ３の外観を損なうことがない。
【００１９】
（変形例）
図４、図７は、消音ピアノ用スピーカ取付部材１を用いて消音ピアノ３をスピーカ２に取り付けた他の例を示す説明図である。図７に示すように、使用者は、連続部１５を天板３２の端部に当接させて、スピーカ固定機構１１に固定されたスピーカ２の部材固定機構１３側の表面と、部材固定機構１３のスピーカ２側の円板とで天板３２の側板３３から突出した突出部分を挟み込むように持ち、部材固定機構１３の棒状部材を捩り回してこの天板３２の突出部分を強固に挟み込んで消音ピアノ用スピーカ取付部材１を天板３２の突出部分に固定する。このようにして、消音ピアノ用スピーカ取付部材１により、消音ピアノ３にスピーカ２を取り付けても良い。
【００２０】
また、図５、図８は、消音ピアノ用スピーカ取付部材１を用いて消音ピアノ３をスピーカ２に取り付けた更に他の例を示す説明図である。図８に示すように、使用者は、連続部１５を側板３３の上部に当接させて、スピーカ固定機構１１に固定されたスピーカ２の部材固定機構１３側の表面と、部材固定機構１３のスピーカ２側の円板とで側板３３を挟み込むように持ち、部材固定機構１３の棒状部材を捩り回してこの側板３３を強固に挟み込んで消音ピアノ用スピーカ取付部材１を側板３３に固定する。このようにして、消音ピアノ用スピーカ取付部材１により、消音ピアノ３にスピーカ２を取り付けることも可能である。
【００２１】
図６は、消音ピアノ用スピーカ取付部材１の構成の他の例を示す説明図である。図６に示すように、この例における消音ピアノ用スピーカ取付部材１、スピーカ２では、部材固定機構１３のスピーカ２側円板、連続部１５のスピーカ２側表面、スピーカ２の部材固定機構１３側の表面にフェルト部材が設けられている。このような構成により、連続部１５を前板３１の上部等に当接させる、または、スピーカ２の部材固定機構１３側の表面と、部材固定機構１３のスピーカ２側の円板とで前板３１等を強固に挟み込んでも、フェルト部材が緩衝材となって前板３１等に傷をつけることを効果的に防止することが可能である。
【００２２】
なお、以上本発明を実施するための最良の形態について説明したが、本発明の要旨を逸脱しない範囲内で上記実施形態に種々の変形や変更を施すことも可能である。
【産業上の利用可能性】
【００２３】
鍵盤の押鍵に従った打弦を抑止する打弦抑止機構と、前記打弦抑止機構による打弦抑止の際に、鍵盤の操作に応じて電子音源を制御する制御手段とを有する消音ピアノ等において利用することが可能である。
【図面の簡単な説明】
【００２４】
【図１】消音ピアノ用スピーカ取付部材１の構成を示す説明図である。
【図２】消音ピアノ用スピーカ取付部材１を用いてスピーカ２を取り付けた消音ピアノ３を示す構成図である。
【図３】消音ピアノ用スピーカ取付部材１を用いて消音ピアノ３にスピーカ２を取り付けた例を示す説明図である。
【図４】消音ピアノ用スピーカ取付部材１を用いて消音ピアノ３にスピーカ２を取り付けた他の例を示す説明図である。
【図５】消音ピアノ用スピーカ取付部材１を用いて消音ピアノ３にスピーカ２を取り付けた更に他の例を示す説明図である。
【図６】消音ピアノ用スピーカ取付部材１の構成の他の例を示す説明図である。
【図７】消音ピアノ用スピーカ取付部材１を用いて消音ピアノ３にスピーカ２を取り付けた他の例を示す説明図である。
【図８】消音ピアノ用スピーカ取付部材１を用いて消音ピアノ３にスピーカ２を取り付けた更に他の例を示す説明図である。
【図９】消音ピアノ３の構成を示す説明図である。
【符号の説明】
【００２５】
１  消音ピアノ用スピーカ取付部材
２  スピーカ
３  消音ピアノ
６  フェルト部材
１１  スピーカ固定機構
１２  貫通孔
１３  部材固定機構
１４  保持部材
１５  中間部
３１  前板
３２  天板
３３  側板
【図１】
2006208667.tif 000003
【図２】
2006208667.tif 000004
【図３】
2006208667.tif 000005
【図４】
2006208667.tif 000006
【図５】
2006208667.tif 000007
【図６】
2006208667.tif 000008
【図７】
2006208667.tif 000009
【図８】
2006208667.tif 000010
【図９】
2006208667.tif 000011